(57)【要約】  本開示の実施形態は、ベースバンド処理ユニット（ＢＢＵ）プール、光ネットワークユニット（ＯＮＵ）、およびリモート無線ヘッド（ＲＲＨ）を備え得る無線アクセスシステムを提供し、ＢＢＵプールは、１つまたは複数のＯＮＵに接続され得、ＯＮＵのそれぞれは、１つまたは複数のＲＲＨに接続され得、ＯＮＵのそれぞれと１つまたは複数のＲＲＨとの間の接続は、ツイストペアを使用して実装され得る。本開示の実施形態は、簡単な取り付けと共に、屋内アンテナユニットから集中型ＢＢＵへ非常に大容量でアクセス、コンバージェンス、および転送を提供することができ、したがって、それらは、屋内無線アクセスの大規模な配備に対して低コストである。さらに、大規模ＭＩＭＯおよびＣｏＭＰなどの先進的な無線テクノロジーがサポートされ得る。本開示の実施形態は、リモート無線ヘッド（ＲＲＨ）、光ネットワークユニット（ＯＮＵ）、光回線終端装置（ＯＬＴ）、およびベースバンド処理ユニット（ＢＢＵ）プールをさらに提供する。
2019502281.tif 000002
【特許請求の範囲】
【請求項１】
ベースバンド処理ユニット（ＢＢＵ）プール、光ネットワークユニット（ＯＮＵ）、およびリモート無線ヘッド（ＲＲＨ）を備える無線アクセスシステムであって、ＢＢＵプールが１つまたは複数のＯＮＵに接続され、ＯＮＵのそれぞれが１つまたは複数のＲＲＨに接続され、ＯＮＵのそれぞれと１つまたは複数のＲＲＨとの間の接続がツイストペアを使用して実装される、無線アクセスシステム。
【請求項２】
ＯＮＵのそれぞれと１つまたは複数のＲＲＨとの間の接続が、ＲＪ−４５ポートを使用して実装されている、請求項１に記載の無線アクセスシステム。
【請求項３】
ＢＢＵプールと１つまたは複数のＯＮＵとの間の接続が、光ファイバおよびパッシブ光ネットワーク（ＰＯＮ）アーキテクチャを使用して実装されている、請求項１に記載の無線アクセスシステム。
【請求項４】
ＲＲＨが、１つまたは複数のアンテナの協調伝送を可能にする、請求項１に記載の無線アクセスシステム。
【請求項５】
協調伝送が、マルチ入力マルチ出力（ＭＩＭＯ）伝送を含む、請求項４に記載の無線アクセスシステム。
【請求項６】
協調伝送が、多地点協調（ＣｏＭＰ）伝送を含む、請求項４に記載の無線アクセスシステム。
【請求項７】
ＢＢＵプールが、ツイストペアを介しての伝送におけるクロストークを補償する、請求項１に記載の無線アクセスシステム。
【請求項８】
ＢＢＵプールが、ツイストペアを介した伝送におけるクロストークおよびＭＩＭＯ伝送における干渉を同時に補償する、請求項５に記載の無線アクセスシステム。
【請求項９】
ＲＲＨが複数のアンテナのそれぞれのアンテナから信号を個別に受信し、
受信された信号を処理することと、
処理された信号を、複数のアンテナに対応するツイストペアのそれぞれのペアに送り、信号を接続されたＯＮＵに並列に転送することと、を個別に行う、請求項１に記載の無線アクセスシステム。
【請求項１０】
ＲＲＨにより受信された信号の処理が、ダウンコンバート処理および信号増幅処理のみを含む、請求項９に記載の無線アクセスシステム。
【請求項１１】
ＯＮＵが、ツイストペアを介して接続されたＲＲＨから信号を受信し、受信された信号を処理し、かつ処理された信号を、光ファイバおよびパッシブ光ネットワーク（ＰＯＮ）アーキテクチャを介して、接続されたＢＢＵプールに転送する、請求項１に記載の無線アクセスシステム。
【請求項１２】
ＯＮＵによる受信された信号の処理が、アナログ−デジタル変換、同期およびアラインメント、並列−直列変換、時分割多重化、デジタル−アナログ変換、および電気−光変換のうちの少なくとも１つを含む、請求項１１に記載の無線アクセスシステム。
【請求項１３】
光回線終端装置（ＯＬＴ）であって、１つまたは複数のＯＮＵとＢＢＵプールとの間に接続されており、光ファイバおよびパッシブ光ネットワーク（ＰＯＮ）アーキテクチャを介して、１つまたは複数のＯＮＵから信号を受信し、受信された信号を処理し、かつ処理された信号をＢＢＵプールに転送する、光回線終端装置（ＯＬＴ）をさらに備える、請求項１に記載の無線アクセスシステム。
【請求項１４】
ＯＬＴによる受信された信号の処理が、光−電気変換、アナログ−デジタル変換、および時分割多重化のうちの少なくとも１つを含む、請求項１３に記載の無線アクセスシステム。
【請求項１５】
ＲＲＨおよびＯＮＵが、建物内部に位置し、ツイストペアが、ローカルエリアネットワーク（ＬＡＮ）ケーブルおよび／または電話回線ケーブルを含む、請求項１に記載の無線アクセスシステム。
【請求項１６】
ＯＮＵのそれぞれが、建物全体または建物の階に関連付けられている、請求項１５に記載の無線アクセスシステム。
【請求項１７】
ＯＮＵが、マクロセルＯＮＵを含む、請求項１に記載の無線アクセスシステム。
【請求項１８】
それぞれのアンテナから信号を受信するように構成された１つまたは複数のアンテナポートと、
１つまたは複数のアンテナポートの信号をダウンコンバートするように構成されたダウンコンバートユニットと、
ダウンコンバートされた信号を出力ポートに転送するように構成されたアンテナポートのそれぞれに対応するツイストペアと、を備える、リモート無線ヘッド（ＲＲＨ）。
【請求項１９】
出力ポートがＲＪ−４５ポートを含む、請求項１８に記載のＲＲＨ。
【請求項２０】
ダウンコンバートユニットが、増幅器、ミキサ、ローパスフィルタ、および発振器のうちの少なくとも１つを含む、請求項１８に記載のＲＲＨ。
【請求項２１】
ＲＲＨが、１つまたは複数のアンテナの協調転送を実施する、請求項１８に記載のＲＲＨ。
【請求項２２】
協調伝送が、マルチ入力マルチ出力（ＭＩＭＯ）伝送または多地点協調（ＣｏＭＰ）伝送を含む、請求項２１に記載のＲＲＨ。
【請求項２３】
ツイストペアを介して信号を受信するように構成された入力ポートと、
受信された信号を処理するように構成された処理ユニットと、
処理された信号を、転送用の光ファイバおよびパッシブ光ネットワーク（ＰＯＮ）アーキテクチャに出力するように構成された出力ポートと、を備える、光ネットワークユニット（ＯＮＵ）。
【請求項２４】
入力ポートがＲＪ−４５ポートを含む、請求項２３に記載のＯＮＵ。
【請求項２５】
処理ユニットが、アナログ−デジタル変換ユニット、同期およびアラインメントユニット、並列−直列変換ユニット、時分割多重化ユニット、デジタル−アナログ変換ユニット、および電気−光変換ユニットのうちの少なくとも１つを含む、請求項２３に記載のＯＮＵ。
【請求項２６】
光ファイバおよびパッシブ光ネットワーク（ＰＯＮ）アーキテクチャを介して光信号を受信するように構成された入力ポートであって、光信号がツイストペアを通して転送された信号に基づき生成される、入力ポートと、
受信された、光信号を、電気信号になるように処理するように構成された処理ユニットと、
電気信号を出力するように構成された出力ポートと、を備える、光回線終端装置（ＯＬＴ）。
【請求項２７】
処理ユニットが、光−電気変換ユニット、アナログ−デジタル変換ユニット、ならびに同期および時分割多重化ユニットのうちの少なくとも１つを含む、請求項２６に記載のＯＬＴ。
【請求項２８】
ツイストペアを通した転送中の信号のクロストークを補償するように構成された補償ユニットを備える、ベースバンド処理ユニット（ＢＢＵ）プール。
【請求項２９】
補償ユニットが、ツイストペアを通した転送中の信号のクロストークと、マルチ入力マルチ出力（ＭＩＭＯ）伝送中の干渉とを同時に補償するように、さらに構成されている、請求項２８に記載のＢＢＵプール。
【請求項３０】
請求項１８から２２のいずれか一項に記載のリモート無線ヘッド（ＲＲＨ）、請求項２３から２５のいずれか一項に記載の光ネットワークユニット（ＯＮＵ）、請求項２６から２７のいずれか一項に記載の光回線終端装置（ＯＬＴ）、または、請求項２８から２９のいずれか一項に記載のベースバンド処理ユニット（ＢＢＵ）プールを備える、無線アクセスシステム。
【発明の詳細な説明】
【技術分野】
【０００１】
本開示の実施形態は、無線通信に概して関し、より具体的には、無線アクセスシステム、リモート無線ヘッド、光ネットワークユニット、光回線終端装置、およびベースバンド処理ユニットプールに関する。
【背景技術】
【０００２】
モバイルデータトラフィックにおける技術的および事業的進歩につれて、無線サービスの７０％以上が屋内で消費されることが分かった。現在優勢な屋内無線アクセス方式は、分散アンテナシステム（ＤＡＳ：Ｄｉｓｔｒｉｂｕｔｅｄ  Ａｎｔｅｎｎａ  Ｓｙｓｔｅｍ）またはスモールセルシステムのいずれかである。しかし、これらの手法の両方に欠点がある。ＤＡＳに関して、様々なアンテナに／から送られるデータストリームは同じであり、この手法をカバレッジに対して良好にし、配備において安価にするが、容量を制限する。屋内スモールセルシステムに関して、ベースバンドユニット（ＢＢＵ：Ｂａｓｅ  Ｂａｎｄ  Ｕｎｉｔ）は分散され、無線ヘッドと共に共同設置されるので、それは一方では、無線ヘッドを非常に複雑で高価にし、他方では、多地点協調（ＣｏＭＰ：Ｃｏｏｒｄｉｎａｔｅｄ  Ｍｕｌｔｉｐｌｅ  Ｐｏｉｎｔ）、大規模なマルチ入力マルチ出力（ＭＩＭＯ：Ｍｕｌｔｉｐｌｅ  Ｉｎｐｕｔ  Ｍｕｌｔｉｐｌｅ  Ｏｕｔｐｕｔ）のような無線ヘッド間の無線連携を互換性がないようにする。
【０００３】
無線通信における急速な進歩および開発ペースに比較すると、固定ネットワークテクノロジーに基づいた、その対応するフロントホール／バックホール戦略は、特に容量、実現可能性、および互換性の点で、依然として立ち遅れている。慣例において、ファイバツーザホーム（ＦＴＴＨ：Ｆｉｂｅｒ  Ｔｏ  Ｔｈｅ  Ｈｏｍｅ）は、固定ネットワークの大容量のソリューションとかつて見なされていて、柔軟な無線アクセスサービスの要件を満たすことができる。しかし、アンテナヘッドが部屋や階にわたって散在する分布にあり、ファイバが簡単かつ安価に到達できない、屋内配備に対して、ＦＴＴＨは次善であるか不可能であることが分かっている。したがって、屋内同軸ケーブルは、ＦＴＴＨと屋内アンテナヘッドとの間で、ラスト１００ｍの固定フロントホールリンクとして選ばれてきた。約１００ｍの範囲で無線インタフェースとファイバとの間の連結点として、屋内ケーブルを好ましい選択肢にする主な理由は、この範囲内で、うまく遮断された同軸ケーブルが許容可能な減衰およびロバスト性を有する、広域かつ平坦なスペクトル応答を提供するという事実に主に基づいている。
【０００４】
しかし、一方で、例えばＤＡＳなどの現在利用可能な屋内カバレッジ手法は、それぞれのアンテナへのデータが同一なのでスループット能力は弱く、したがってＭＩＭＯはＤＡＳにおいて互換性がないが、他方で、現在のＤＡＳは、高価な同軸ケーブルが使用されているので経済的ではない。
【０００５】
したがって、無線ｘ−ホーリング（ｘ−ｈａｕｌｉｎｇ）用の大容量を有する固定転送ネットワークにおけるコスト効率、また、ＭＩＭＯ、ＣｏＭＰまたは／および他の先進的無線テクノロジーとの優れた互換性の要求を十分に満たす、固定ネットワークアーキテクチャにわたる屋内無線アクセスおよび転送に対して確実で実現可能な解決策を見つけることの緊急の要求がある。
【０００６】
これまで確実でコスト効率の高い固定ネットワークにわたり長距離フロントホール（ｆｒｏｎｔｈａｕｌ）転送を有する、ＢＢＵ集中化屋内無線アクセス配備に対しても、優れた解決策はほとんど報告されていない。
【発明の概要】
【発明が解決しようとする課題】
【０００７】
先行技術に存在する上記の技術的問題を考慮して、本開示の実施形態は、先行技術における上記および他の技術的問題を解決するために、無線アクセスシステム、リモート無線ヘッド、光ネットワークユニット、光回線終端装置、およびベースバンド処理ユニットプールを提供することを目標とする。
【課題を解決するための手段】
【０００８】
本開示の第１の態様によれば、無線アクセスシステムが提供される。無線アクセスシステムは、ベースバンド処理ユニット（ＢＢＵ：Ｂａｓｅｂａｎｄ  Ｐｒｏｃｅｓｓｉｎｇ  Ｕｎｉｔ）プール、光ネットワークユニット（ＯＮＵ：Ｏｐｔｉｃａｌ  Ｎｅｔｗｏｒｋ  Ｕｎｉｔ）、およびリモート無線ヘッド（ＲＲＨ：Ｒｅｍｏｔｅ  Ｒａｄｉｏ  Ｈｅａｄ）を備え得、ＢＢＵプールは１つまたは複数のＯＮＵに接続され得、ＯＮＵのそれぞれは１つまたは複数のＲＲＨに接続され得、ＯＮＵのそれぞれと１つまたは複数のＲＲＨとの間の接続はツイストペアを使用して実装され得る。
【０００９】
いくつかの実施形態において、ＯＮＵのそれぞれと１つまたは複数のＲＲＨとの間の接続は、ＲＪ−４５ポートを使用して実装され得る。いくつかの実施形態において、ＢＢＵプールと１つまたは複数のＯＮＵとの間の接続は、光ファイバおよびパッシブ光ネットワーク（ＰＯＮ：Ｐａｓｓｉｖｅ  Ｏｐｔｉｃａｌ  Ｎｅｔｗｏｒｋ）アーキテクチャを使用して実装され得る。
【００１０】
いくつかの実施形態において、ＢＢＵプールはツイストペアを介しての伝送におけるクロストークを補償し得る。
【００１１】
いくつかの実施形態において、ＲＲＨは、１つまたは複数のアンテナの協調伝送を実装し得る。いくつかの実施形態において、協調伝送はマルチ入力マルチ出力（ＭＩＭＯ）伝送を含み得る。いくつかの実施形態において、協調伝送は多地点協調（ＣｏＭＰ）伝送を含み得る。
【００１２】
ＭＩＭＯが使用されている実施形態において、ＢＢＵプールは、ＭＩＭＯ伝送における干渉およびツイストペアを介した伝送におけるクロストークを同時に補償し得る。
【００１３】
いくつかの実施形態において、ＲＲＨは、信号を接続されたＯＮＵに並列に転送するために、複数のアンテナのそれぞれのアンテナから信号を個別に受信し、受信された信号を個別に処理し、処理された信号を複数のアンテナに対応するツイストペアのそれぞれのペアに個別に送り得る。いくつかの実施形態において、ＲＲＨにより受信された信号の処理は、ダウンコンバート処理および信号増幅処理のみを含み得る。
【００１４】
いくつかの実施形態において、ＯＮＵは、ツイストペアを介して接続されたＲＲＨから信号を受信し得、受信された信号を処理し得、かつ処理された信号を、光ファイバおよびＰＯＮアーキテクチャを介して、接続されたＢＢＵプールに転送し得る。いくつかの実施形態において、ＯＮＵによる受信された信号の処理が、アナログ−デジタル変換、同期およびアラインメント、並列−直列変換、時分割多重化、デジタル−アナログ変換、および電気−光変換のうちの少なくとも１つを含み得る。
【００１５】
いくつかの実施形態において、無線アクセスシステムは、１つまたは複数のＯＮＵとＢＢＵプールとの間に接続されており、光ファイバおよびＰＯＮアーキテクチャを介して、１つまたは複数のＯＮＵから信号を受信し、受信された信号を処理し、かつ処理された信号をＢＢＵプールに転送する、光回線終端装置（ＯＬＴ：Ｏｐｔｉｃａｌ  Ｌｉｎｅ  Ｔｅｒｍｉｎａｌ）をさらに備え得る。いくつかの実施形態において、ＯＬＴによる受信された信号の処理は、光−電気変換、アナログ−デジタル変換、および時分割多重化のうちの少なくとも１つを含み得る。
【００１６】
いくつかの実施形態において、ＲＲＨおよびＯＮＵは建物内に位置され得、ツイストペアはローカルエリアネットワーク（ＬＡＮ：Ｌｏｃａｌ  Ａｒｅａ  Ｎｅｔｗｏｒｋ）ケーブルおよび／または電話回線ケーブルを含み得る。いくつかの実施形態において、ＯＮＵのそれぞれは、建物全体または建物の階に関連付けられ得る。いくつかの実施形態において、ＯＮＵはマクロセルＯＮＵを含み得る。
【００１７】
本開示の第２の態様によれば、それぞれのアンテナから信号を受信するように構成された１つまたは複数のアンテナポート、１つまたは複数のアンテナポートの信号をダウンコンバートするように構成されたダウンコンバートユニット、およびコンバートされた信号を出力ポートに転送するように構成されたアンテナポートのそれぞれに対応するツイストペアを備え得る、ＲＲＨが提供される。
【００１８】
いくつかの実施形態において、出力ポートはＲＪ−４５ポートを含み得る。いくつかの実施形態において、ダウンコンバートユニットは、増幅器、ミキサ、ローパスフィルタ、および発振器のうちの少なくとも１つを含み得る。
【００１９】
いくつかの実施形態において、ＲＲＨは、１つまたは複数のアンテナの協調伝送を実装することができる。いくつかの実施形態において、協調伝送は、ＭＩＭＯ伝送またはＣｏＭＰ伝送を含み得る。
【００２０】
本開示の第３の態様によれば、ツイストペアを介して信号を受信するように構成された入力ポート、受信された信号を処理するように構成された処理ユニット、ならびに、処理された信号を、転送用の光ファイバおよびＰＯＮアーキテクチャに出力するように構成された出力ポートを備え得る、ＯＮＵが提供される。
【００２１】
いくつかの実施形態において、出力ポートはＲＪ−４５ポートを含み得る。いくつかの実施形態において、処理ユニットは、アナログ−デジタル変換ユニット、同期およびアラインメントユニット、並列−直列変換ユニット、時分割多重化ユニット、デジタル−アナログ変換ユニット、および電気−光変換ユニットのうちの少なくとも１つを含み得る。
【００２２】
本開示の第４の態様によれば、光ファイバおよびＰＯＮアーキテクチャを介して光信号を受信するように構成された入力ポートであって、光信号がツイストペアを通して転送された信号に基づいて生成される、入力ポートと、受信された光信号が電気信号になるように処理されるように構成された処理ユニットと、電気信号を出力するように構成された出力ポートと、を含み得る、ＯＬＴが提供される。いくつかの実施形態において、処理ユニットは、光−電気変換ユニット、アナログ−デジタル変換ユニット、ならびに同期および時分割多重化ユニットのうちの少なくとも１つを含み得る。
【００２３】
本開示の第５の態様によれば、ツイストペアを通した転送中の信号のクロストークを補償するように構成された補償ユニットを備え得る、ＢＢＵプールが提供される。いくつかの実施形態において、補償ユニットは、ツイストペアを通した転送中の信号のクロストークとＭＩＭＯ伝送中の干渉とを同時に補償するようにさらに構成され得る。
【００２４】
本開示の第６の態様によれば、第２の態様によるＲＲＨ、第３の態様によるＯＮＵ、第４の態様によるＯＬＴ、または第５の態様によるＢＢＵプールを備え得る、無線アクセスシステムが提供される。
【００２５】
上述のように、屋内無線サービスは劇的に成長しているが、大規模な屋内無線アクセス配備をサポートし、設置、無線カバレッジ、および容量の点で同時に安価にすることができる、実用的な解決策はまだなされていない。本開示の実施形態における提案された屋内無線アクセスの解決策は、屋内アンテナユニットから集中型ＢＢＵプールへ非常に大きな能力でアクセス、コンバージェンス、および転送を提供することができる。
【００２６】
さらに重要なことは、本開示の実施形態は、ラスト１００ｍアクセス媒体として、大抵の建物で経済的なツイストペアを利用するので、導入の難しさは大きく低減され、したがって、屋内無線アクセスの大規模な配備に対して低コストである。また、大規模なＭＩＭＯおよびＣｏＭＰのような先進的付加価値サービスがサポートされ得る。
【００２７】
さらに、統合クロストーク軽減アルゴリズムが、ＢＢＵにおいて中心的に利用され、それに基づいて、無線ＭＩＭＯチャネルとクロストークリッチＣａｔ５ａ／５ｂラインの両方から誘発された全クロストーク効果は、効率的に除去され得る。したがって、ＭＩＭＯのダイバーシティおよび／または多重化の利は、屋内無線サービスの容量性能を根本的に改良するように達成され得、これにより、提案された解決策は、低コストを維持しながら現在のＤＡＳシステムの非常に良いアップグレード候補であり得る。さらに、本開示の実施形態は、汎用アクセスアプリケーションのために、特に、屋内ツイストペアがラスト１００ｍアクセスおよび収束メディアとして採用される屋内空間のために、潜在的に使用されることができる。
【００２８】
他方で、ＢＢＵ集中化、ＭＩＭＯ、ＣｏＭＰ、および他の先進的な無線アプリケーションと互換性がある、屋内無線アクセスの解決策はない。元来はマクロセル専用であったいくつかの解決策があるが、それらは、特にコストのために、屋内アプリケーションおよび配備のためにスムーズに導入されることができない。本開示の実施形態は、それらがツイストペアの安価な材料を十分に利用するので、コスト問題を根本的に解決することができる。さらに、アンテナユニットと集中型ＢＢＵプールとの間の長距離に対するコンバージェンスおよび転送容量は大きい。したがって、総コストは、大量のＯＮＵおよび屋内アンテナユニットによって共用されることができる。
【００２９】
本開示の実施形態の利点は、以下を含む：第１に、それらは、ＢＢＵ集中型屋内スモールセル配備に関してパフォーマンスの向上を実現する。ＢＢＵリソースは集中化されることができ、ＭＩＭＯ／ＣｏＭＰは、（従来のＤＡＳと比較して）互換可能であり得、ＯＮＵにおける大コンバージェンス容量および光ファイバにおける大転送容量が実現されることができ、無線ヘッド間の協調（および他のＳＤＮ機能）がサポートされることができる。第２に、屋内アンテナユニットの取り付けおよび配備における省コスト性が改善される。無線ヘッドの構造はアップ／ダウンコンバージョン機能でのみ整えられ、その取り付けは、ＢＢＵなしで、ラスト１００ｍアクセスとしてのツイストペアは安価で広く利用でき、樹状ＰＯＮは複数の建物でさえ複数の階にわたって複数のＯＮＵに役立つことができるので、その取り付けは易しい。第３に、銅間クロストーク軽減アルゴリズム上で共有するＤＳＰが実現される。無線ＭＩＭＯおよびクロストークリッチツイストペアにわたる転送手順は、統合ＤＳＰモデルにおいてチャネル形成され、かつ処理されることができる。ファイバリンクのチャネル化およびハードウェア／ソフトウェア補償は、ＢＢＵ側において同様に共有され、かつ集中化されることができる。
【００３０】
本開示の実施形態の、上記および他の目的、特徴および利点は、以下の詳細な描写に関する添付図面と共にさらに明らかになり、また、本開示のいくつかの実施形態は、以下の添付図面において、例で、しかし非限定的に、ここで示されている。
【図面の簡単な説明】
【００３１】
【図１】本開示の実施形態による、無線アクセスシステムの概観図である。
【図２】本開示の実施形態による、無線リンク、ツイストペア、および光ファイバを介した、ユーザ機器からベースバンド処理ユニットプール（ＢＢＵ）への無線アクセスおよび転送処理の概略図である。
【図３】本開示の実施形態による、無線アクセスシステムのシステムレベルのブロック図である。
【図４】本開示の実施形態による、リモート無線ヘッド（ＲＲＨ）の概略ブロック図である。
【図５】本開示の別の実施形態による、ＲＲＨの概略ブロック図である。
【図６】従来のＲＲＨの概略ブロック図である。
【図７】本開示の実施形態による、光ネットワークユニット（ＯＮＵ）の概略ブロック図である。
【図８】本開示の実施形態による、光回線終端装置（ＯＬＴ）の概略ブロック図である。
【図９】本開示の実施形態による、特定の例示的な無線アクセスシステムの概略ブロック図である。
【発明を実施するための形態】
【００３２】
本開示の原理および趣旨は、図面に示されたいくつかの実施形態例に関して説明されよう。これらの実施形態の描写は、当業者が本開示をより良く理解し、さらに実行できるようすることのみで、いかなる方法によっても本開示の範囲を限定する意図はないことが認識されるべきである。
【００３３】
先の文脈において説明されたように、現在の屋内ＤＡＳシステムに対して、同軸ケーブルは、多数のアンテナユニットを共通のベースバンド処理ユニット（ＢＢＵ）プールに接続しているラスト１００ｍ固定トンネルとして広く使用されている。２つの態様における欠点が、屋内ＤＡＳの展開を制限することが分かっている。
【００３４】
第１に、同軸ケーブルそれ自体の価格は高く、将来の屋内無線配備シナリオに要求される数は非常に大きいので、同軸ケーブルの使用はコスト効率が悪いと見なされている。第２に、すべてのアンテナへ／から送られるデータストリームは、固定ケーブル分配システムにおけるパッシブクローニング機構のために、一斉送信（ブロードキャスティング）特徴をもつ。このようにして、これは、エアーインタフェースを介する容量を制限し、ＭＩＭＯおよびＣｏＭＰのような先進的アプリケーションも無効にする。したがって、ユーザ体験および屋内無線ビジネスは厳しく制限される。
【００３５】
ＭＩＭＯ互換性および先進的無線テクノロジーの互換性ならびに屋内アンテナシステムの散在する分布の特徴により、本開示の実施形態は、固定ネットワークアーキテクチャについて無線アクセスおよび転送ソリューションを提案する。
【００３６】
図１は、本開示の実施形態による、無線アクセスシステム１００の概観図を示す。図１に示されるように、無線アクセスシステム１００は、ベースバンド処理ユニット（ＢＢＵ）プール１０１、光ネットワークユニット（ＯＮＵ）１０２、およびリモート無線ヘッド（ＲＲＨ）１０３を含み得る。図１にさらに示されるように、ＢＢＵ１０１は１つまたは複数のＯＮＵ１０２に接続されることができ、それぞれのＯＮＵ１０２は１つまたは複数のＲＲＨ１０３に接続されることができ、それぞれのＯＮＵ１０２と１つまたは複数のＲＲＨ１０３との間の接続は、ツイストペア１０４で実装されることができる。いくつかの実施形態において、ＢＢＵ１０２と１つまたは複数のＯＮＵ１０２との間の接続は、光ファイバ１０５およびパッシブ光ネットワーク（ＰＯＮ）アーキテクチャで実装されることができる。ＰＯＮアーキテクチャにおいて、光ファイバ１０５は、スプリッタ１０８を介して複数の光ファイバ回線に分けられることができる。さらに、ＲＲＨ１０３は、無線リンク１１０を介して無線デバイス１０９と通信することができる。特定の配備において、無線リンク１１０は１０ｍの範囲を通常有し得、ツイストペア１０４は１００ｍの範囲を通常有し得、光ファイバ１０５は２０ｋｍの範囲を通常有し得る。
【００３７】
図１にさらに示されるように、いくつかの実施形態において、ＲＲＨ１０３およびＯＮＵ１０２は建物１０６内に位置することができ、ツイストペア１０４は、ローカルエリアネットワーク（ＬＡＮ）ケーブルおよび／または電話回線ケーブルを含み得る。図１に示される実施形態において、それぞれのＯＮＵ１０２は建物１０６の階に対応し得る。このような実施形態において、それぞれの階のＯＮＵ１０２は、ツイストペア１０４を介して同じ階におけるすべてのＲＲＨ１０３に接続され得る。図１に示されるものとは異なる他の実施形態において、それぞれのＯＮＵ１０２は１つの建物に対応し得る。
【００３８】
収束型屋内スモールセルシステムおよび屋外マクロセルアクセスは、本開示の実施形態において提案された無線アクセスシステム１００によってサポートされることもでき、マクロセルのＯＮＵは同じＰＯＮアーキテクチャにおいて含まれることもできる。ゆえに、図１に示されるように、いくつかの実施形態において、ＯＮＵ１０２はマクロセル１０７のＯＮＵ１０２を含み得る。
【００３９】
図１に示されるように、無線アクセスシステム１００は２系列の樹状アーキテクチャを含み得る。１つの系列は、光ドメインにおいてＢＢＵ１０１をＯＮＵ１０２と接続し得、第２の系列は、固定電気ドメインにおいてＯＮＵ１０２を複数のＲＲＨ１０３（例えば、屋内）と接続し得る。本開示のいくつかの実施形態において、固定ネットワークアーキテクチャは、ラスト１００ｍ屋内の転送のために利用可能なＬＡＮケーブルおよび／または電話回線（例えば、Ｃａｔ５ａ／６ａライン）を採用し得、ラスト２０ｋｍ転送のために低損失の光ファイバ１０５およびＰＯＮを採用し得る。アップリンク転送中に、アンテナを通してそれぞれのＲＲＨ１０３によって得られたＲＦ信号は、まずＩＦ帯域にダウンコンバートされ、アナログＩＦ形式でツイストペア上で転送される。収束されたストリームに多重化された後、広帯域アナログ信号は、次にポスト復号処理が実行され得る集中型ＢＢＵ１０１に、光ファイバ１０５およびＰＯＮ上で転送され得る。
【００４０】
図２は、本開示の実施形態による、無線リンク２６０、ツイストペア２７０、および光ファイバ２８０を介して、ユーザ機器（ＵＥ：Ｕｓｅｒ  Ｅｑｕｉｐｍｅｎｔ）２１０からＢＢＵプール２５０への、無線アクセスおよび転送プロセス２００の概略図を示す。例として、図２は、ＲＲＨ２２０、ＯＮＵ２３０、およびＯＬＴ２４０をさらに示す。
【００４１】
本開示のいくつかの実施形態により、ＵＥ２１０は、無線リンク２６０を介してＲＲＨ２２０と通信することができる。さらなる実施形態において、ＲＲＨ２２０は、１つまたは複数のアンテナの協調伝送を実装することができる。例えば、図２は４つのアンテナを概略的に示す。いくつかの実施形態において、協調伝送はマルチ入力マルチ出力（ＭＩＭＯ）伝送を含み得る。いくつかの他の実施形態において、協調伝送は多地点協調（ＣｏＭＰ）伝送も含み得る。屋外シナリオのいくつかの実施形態において、無線リンク２６０は、１０ｍまたは数１０ｍの通信範囲を有し得る。
【００４２】
本開示のいくつかの実施形態において、ＲＲＨ２２０は、アンテナの個数と同数のミキサ２２１−２２４を介して、アンテナから受信された信号を中間周波数に変換することができ、それらをツイストペア２７０上のＯＮＵ２３０に転送し得る。いくつかの実施形態において、ツイストペア２７０は、ＬＡＮケーブルおよび／または電話回線ケーブルを含み得る。特定のシナリオにおいて、ツイストペア２７０は、１００ｍの規模の範囲を有し得、クロストークを含み得る。
【００４３】
本開示のいくつかの実施形態により、ＯＮＵ２３０は、受信された信号をレーザ２３１によって生成されたレーザ上に変調することができ、光ファイバ２８０を含んでいるＰＯＮを通してＯＬＴ２４０にそれを転送する。特定のシナリオにおいて、ＰＯＮにおける光ファイバ２８０は、２０ｋｍの規模の範囲を有し得る。ＯＬＴ２４０は、光ファイバ２８０から受信された信号を処理することができ、それらをＢＢＵ２５０に転送することができる。
【００４４】
したがって、ＵＥ２１０からＢＢＵ２５０において得られた信号は、無線リンク２６０を通過するばかりでなくツイストペア２７０も通過した。いくつかの実施形態において、ＢＢＵ２５０は、ツイストペア２７０にわたる伝送中にクロストークを補償することができる。さらに、無線ＭＩＭＯを使用する無線リンク２６０の実施形態において、ＢＢＵ２５０は、ＭＩＭＯ伝送における干渉と、ツイストペア上の伝送におけるクロストークとを同時に補償し得る。いくつかの実施形態において、ＢＢＵ２５０は、統合ＭＩＭＯ／クロストーク消去アルゴリズムでＢＢＵ２５０におけるデータを復号かつ再生することができる補償ユニット２５１を含み得る。
【００４５】
さらに、注目すべきは、本開示の実施形態において、ツイストペア２７０および光ファイバ２８０上で転送されたデータは両方ともアナログ形式なので、信号伝送帯域幅は、デジタルＩＱ量子化手法と比べて大幅に縮小され、それにより、転送容量は、本開示の実施形態による、技術的解決法の要件を満たすことができることである。したがって、屋内無線アクセスおよび転送のために本開示の実施形態によって提供された技術的解決法を使用することで、一方で大容量が実現されることができ、他方で、ＭＩＭＯ、ＣｏＭＰ、および他の先進的な無線技術に対する互換性が、実現可能性および省コスト性の点で達成されることができる。
【００４６】
図３は、本開示の実施形態による、無線アクセスシステム３００のシステムレベルのブロック図を示す。図３に示されるように、無線アクセスシステム３００の例は、４つのモジュールおよび３つの転送リンクを含み得る。４つのモジュールは、ＲＲＨモジュール３２０、ＯＮＵモジュール３３０、ＯＬＴモジュール３４０、およびＢＢＵモジュール３５０であることができる。３つの転送リンクは、無線リンク３６０、ツイストペア３７０、および光ファイバ３８０であることができる。いくつかの実施形態において、光ファイバ３８０は、スプリッタ３９０によって多数の光ファイバ回線に分けられることができる。特定のシナリオにおいて、ツイストペア３７０はクロストークを含み得る。
【００４７】
アップリンク転送中、ＵＥ３１０は、無線リンク３６０を介してＲＲＨモジュール３２０と通信することができる。いくつかの実施形態において、無線リンク３６０は、無線ＭＩＭＯチャネルであることができる。ＲＲＨモジュール３２０は、ツイストペア３７０を介して信号をＯＮＵモジュール３３０に転送することができる。いくつかの実施形態において、ツイストペア３７０は、ＬＡＮケーブルおよび／または電話回線ケーブルであることができる。いくつかの実施形態において、それぞれのＯＮＵモジュール３３０は、ＲＪ−４５ポートを介して１つまたは複数のＲＲＨ３２０と接続されることができる。ＯＮＵモジュール３３０は、光ファイバ３８０およびＰＯＮアーキテクチャを介してＯＬＴモジュール３４０に信号を転送することができる。特定のシナリオにおいて、光ファイバ３８０の長さは、数十ｋｍ以上の長さであることができる。最終的に、ＯＬＴモジュール３４０は、集中型ベースバンド処理のためにＢＢＵユニット３５０に信号を転送することができ、したがって、アップリンク転送プロセスを完了する。ダウンリンク転送プロセスは、アップリンク転送プロセスの逆プロセスであることができ、ここでは省略される。
【００４８】
図３にさらに示されているように、ＲＲＨモジュール３２０は、アンテナポート３２１１−３２１４を含み得る。図３は、特に、４個のアンテナにそれぞれ接続された４個のアンテナポートを示しているが、ＲＲＨモジュール３０１がまた、より多い、またはより少ないアンテナポートを含んでもよいことを、当業者は、理解することができる。本開示は、この点において限定されない。それに加え、いくつかの実施形態において、ＲＲＨモジュール３２０は、信号を増幅、ダウンコンバートすることのできるダウンコンバートユニット３２２をさらに含み得る。各ＲＲＨモジュール３２０は、処理された信号を、接続されたＯＮＵモジュール３３０に並列に転送するために、複数のアンテナから別々に信号を受信し、受信された信号を別々に処理し、一つずつ複数のアンテナに対応するツイストペア３７０に別々に送ることができる。いくつかの実施形態において、ＲＲＨモジュール３２０によって受信された信号の処理は、ダウンコンバージョン処理および信号増幅処理のみを含むことがある。
【００４９】
いくつかの実施形態において、ＯＮＵモジュール３３０は、アナログ−デジタル変換（ＡＤＣ：Ａｎａｌｏｇ  Ｔｏ  Ｄｉｇｉｔａｌ  Ｃｏｎｖｅｒｔｉｎｇ）ユニット３３１１−３３１４を含み得る。図３は、特に４個のＡＤＣユニットを示しているが、ＯＮＵモジュール３２０が、より多くの、またはより少ないＡＤＣユニットを含んでもよいことを、当業者は、理解することができる。本開示は、この点において限定されない。ＯＮＵモジュール３３０は、同期およびアラインメントユニット３３２、並列−直列変換および時分割多重化ユニット３３３、デジタル−アナログ変換（ＤＡＣ：Ｄｉｇｉｔａｌ  Ｔｏ  Ａｎａｌｏｇ  Ｃｏｎｖｅｒｔｉｎｇ）ユニット３３４、ならびに電気−光変換Ｅ／Ｏユニット３３５のうちの１つまたは複数をさらに含み得る。これらのモジュールがまた、より多くのモジュールを形成するように分割され得、またはより少ないモジュールを形成するように組み合わせられ得、本開示が、この点において限定されないことを、当業者は、理解することができる。
【００５０】
信号転送中、ＯＮＵモジュール３３０は、ツイストペア３７０を介して、接続されたＲＲＨモジュール３２０から信号を受信し、受信された信号を処理し、処理された信号を、光ファイバ３８０およびＰＯＮアーキテクチャを介して、接続されたＢＢＵモジュール３５０に転送することができる。いくつかの実施形態において、ＯＮＵモジュール３３０による受信された信号の処理は、アナログ−デジタル変換、同期およびアラインメント、並列−直列変換、時分割多重化、デジタル−アナログ変換、ならびに電気−光変換のうちの１つまたは複数を含み得る。
【００５１】
いくつかの実施形態において、ＯＬＴモジュール３４０は、光−電気変換Ｏ／Ｅユニット３４１、アナログ−デジタル変換Ａ／Ｄユニット３４２、ならびに同期および時分割多重化ユニット３４３を含み得る。ＢＢＵモジュール３０４は、補償ユニット３５１および復号ユニット３５２を含み得る。いくつかの実施形態において、ＯＬＴモジュール３４０は、光ファイバ３５０を介して、１つまたは複数のＯＮＵモジュール３３０から信号を受信し、受信された信号を処理し、処理された信号をＢＢＵモジュール３５０に転送する。いくつかの実施形態において。ＯＬＴモジュール３４０による受信された信号の処理は、光−電気変換、アナログ−デジタル変換、および時分割多重化のうちの少なくとも１つを含み得る。
【００５２】
図３が、ＲＲＨモジュール３０１、ＯＮＵモジュール３０２、ＯＬＴモジュール３０３およびＢＢＵモジュール３０４の構成ユニットのすべてを説明するだけではなく、本開示の実施形態に関連した構成ユニットも描写していることを、当業者は、理解することができる。実際の配備では、これらのモジュールは、それらの機能を実現するための他のユニットをさらに含むことができる。これらのモジュールの構成ユニットは、以下の図４−８を参照して、さらに説明、示されるようになる。
【００５３】
図４は、本開示の実施形態による、ＲＲＨ４００の概略ブロック図を示す。図４に示されているように、ＲＲＨ４００は、１つまたは複数のアンテナポート４１０、ダウンコンバートユニット４２０およびツイストペア４３０を含み得る。いくつかの実施形態において、１つまたは複数のアンテナポート４１０は、対応するアンテナ４０１−４０４から信号を受信するように構成され得る。ダウンコンバートユニット４２０は、１つまたは複数のアンテナポート４１０からの信号を増幅し、ダウンコンバートするように構成され得る。ツイストペア４３０は、各アンテナポート４１０に対応し得、ダウンコンバートされた信号を出力ポートに転送するように構成されている。いくつかの実施形態において、出力ポートは、ＲＪ−４５ポートを含み得る。
【００５４】
図４でさらに示されているように、いくつかの実施形態において、ダウンコンバートユニット４２０は、増幅器４２１、ミキサ４２２、ローパスフィルタ４２３、および発振器４２４のうちの１つまたは複数を含み得る。これらのユニットの特定の作業原理および動作プロセスは、当業者にはよく知られているので、ここでは省かれる。
【００５５】
具体的には、動作中、各アンテナ４０１−４０４からＲＲＨ４００によって受信された無線信号は、最初、アンテナポート４１０によって受信され、ダウンコンバートユニット４２０によって増幅されダウンコンバートされる。ダウンコンバートされた信号は、ＤＣから、例えば、２０ＭＨｚまでの帯域幅にあることができる。最後に、それぞれのダウンコンバートされた出力信号は、例えば、Ｃａｔ５ａ／６ａラインでツイストペアにリンクされ得る。
【００５６】
図４に示されているように、４つのアンテナ４０１−４０４と接続しているＲＲＨ４００の実施形態では、ダウンコンバートユニット４２０は、４つの個々のダウンコンバーティングサブモジュールを含み得る。４つのダウンコンバーティングサブモジュールの出力は、４つのツイストペア４３０に個々に接続され得る。いくつかの実施形態において、これらのダウンコンバーティングサブモジュールは、発振器４２４を共有し得る。
【００５７】
図５は、本開示の別の実施形態による、ＲＲＨ５００の概略ブロック図を示す。図５に示されているように、ＲＲＨ５００が、より多くのアンテナ５０１−５０６１に接続される場合、対応するより多くの個数のアンテナポート５１１が使用され得、ダウンコンバートユニット５２０が、より多くのダウンコンバーティングサブモジュールを含むことができる。複数のＣａｔ５ａ／６ａラインが、ツイストペア５３０として使用され得る。いくつかの実施形態において、これらのダウンコンバーティングサブモジュールは、発振器５４０を共有し得る。図５に示されているように、ダウンコンバートユニット５２０は、増幅器５２１、ミキサ５２２、ローパスフィルタ５２３および発振器５４０のうちの少なくとも１つも含み得る。
【００５８】
いくつかの実施形態において、ＲＲＨ４００およびＲＲＨ５００は、１つまたは複数のアンテナ４０１−４０４ならびにアンテナ５０１−５０１６の協調転送を実施することができる。いくつかの実施形態において、協調伝送は、ＭＩＭＯ伝送またはＣｏＭＰ伝送を含み得る。
【００５９】
対照的に、図６は、従来のＲＲＨ６００の概略ブロック図を示す。図６に示されているように、従来のＲＲＨ６００は、増幅器６１１、ミキサ６２１−６２４、ローパスフィルタ６３１−６３４、および発振器６５０を含み得る。さらに、従来のＲＲＨ６００は、ＡＤＣユニット６４１−６４４、共通公衆無線インタフェース（ＣＰＲＩ：Ｃｏｍｍｏｎ  Ｐｕｂｌｉｃ  Ｒａｄｉｏ  Ｉｎｔｅｒｆａｃｅ）カプセル化、および小型プラガブルインタフェース（ＳＦＰ：Ｓｍａｌｌ  Ｐｌｕｇｇａｂｌｅ  Ｉｎｔｅｒｆａｃｅ）ユニット６６０も含む。
【００６０】
従来のＲＲＨ６００では、ＣＰＲＩカプセル化およびＳＦＰユニット６６０が、主に、出力信号を、光ファイバを介した転送に適するようにさせるのに使用される。対照的に、本開示の実施形態は、ツイストペアをＲＲＨの出力信号を転送するように採用することができる。したがって、従来のＲＲＨ６００と比較すると、本開示の実施形態によるＲＨＨ４００およびＲＨＨ５００は、ＡＤＣユニット６４１−６４４、ならびにＣＰＲＩカプセル化およびＳＦＰユニット６６０、すなわち、電気−光変換を実施するのに使用されるユニットを省くことができる。さらに、光ファイバを介して転送するように適合された光インタフェース（ＳＦＰなど）は、ツイストペアを介した伝送に適したＲＪ−４５ポートに変更され得る。
【００６１】
図７は、本開示の実施形態によるＯＮＵ７００の概略ブロック図である。図７に示されているように、いくつかの実施形態において、ＯＮＵ７００は、入力ポート７１０、処理ユニット７２０および出力ポート７３０を含む。いくつかの実施形態において、入力ポート７１０は、ツイストペアを介して信号を受信するように構成され得る。処理ユニット７２０は、受信された信号を処理するように構成され得る。出力ポート７３０は、転送用のＰＯＮアーキテクチャに、処理された信号を出力するように構成され得る。
【００６２】
図７にさらに示されているように、いくつかの実施形態において、入力ポート７１０は、ＲＪ−４５ポートを含み得、出力ポート７３０は、小型プラガブルインタフェース（ＳＦＰ）を含み得る。いくつかの実施形態において、処理ユニット７２０は、ＡＤＣユニット７２１、同期およびアラインメントユニット７２２、並列−直列変換ユニット７２３、時分割多重化ユニット７２４、ＤＡＣユニット７２５、ならびに電気−光変換Ｅ／Ｏユニット７２６のうちの１つまたは複数を含み得る。これらのユニットの特定の作業原理および動作プロセスは、当業者にはよく知られているので、ここでは省略される。
【００６３】
図７に描写されている特定の実施形態において、先のＲＲＨモジュールの４つの出力は、ツイストペアを介してＯＮＵ７００に接続され得る。本開示の実施形態によるＲＲＨモジュールが、より多いまたは少ない出力も有することができ、本開示がこの点において限定されないことを、当業者は、理解することができる。信号の処理および転送中、ＯＮＵ７００におけるＡＤＣ７２１のサンプル帯域幅およびサンプリングレートは、無線帯域幅に対応し得る。ＡＤＣ７２１からの４つの出力の、取得され、量子化されたデータストリームは、最初、同期され、アラインメントされ得る。次に、４つのパラレルデータストリームは、シリアルとして作り直され、ポストＢＢＵ割り当て式タイムスロット割り当てに従って、時間ドメインにおいて多重化される。新たに生成され、カプセル化されたデータストリームは、アナログ信号に変換され、次に、光ファイバ上の転送のために光信号上に変調される。図７に示されているように、ＤＡＣ７２５のサンプリングレートは、ＡＤＣ７２１のサンプリングレートのｓ倍大きく、例えば、ＡＤＣ７２１のサンプリングレートの４倍の大きさである。さらなるシステムアップグレードが考えられる場合、「ｓ」は、ＢＢＵからソフトウェア定義の要件に従って、再構成可能であり得る。
【００６４】
ＯＮＵ７００の同期およびアラインメントユニット７２２が、４つのＡＤＣ７２１チャネル間で生じる伝播時間差を修正するようにのみ機能することは注目すべきことである。無線リンクまたはツイストペアを介した転送時に生じるいずれの遅延または時間差も、同期およびアラインメントユニット７２２では処理されない。ツイストペアからの４つの信号入力が、アナログ特性を有し、光ファイバ上の出力信号も同様であることは、注目すべきことである。
【００６５】
図８は、本開示の実施形態によるＯＬＴ８００の概略ブロック図を示す。図８に示されているように、ＯＬＴ８００は、入力ポート８１０、処理ユニット８２０および出力ユニット８３０を含み得る。いくつかの実施形態において、入力ポート８１０は、光ファイバおよびＰＯＮアーキテクチャを介して、光信号を受信するように構成され得、この場合、光信号は、ツイストペアを介して転送された信号に基づき生成される。いくつかの特定の実施形態において、入力ポート８１０は、ＳＦＰを含み得る。いくつかの実施形態において、処理ユニット８２０は、受信された光信号を電気信号として処理するように構成され得る。いくつかの実施形態において、出力ポート８３０は、処理された電気信号を出力するように構成され得る。
【００６６】
さらに図８に示されているように、いくつかの実施形態において、処理ユニット８２０は、光−電気変換Ｏ／Ｅユニット８２１、アナログ−デジタル変換Ａ／Ｄユニット８２２、ならびに同期および時分割多重化ユニット８２３のうちの１つまたは複数を含み得る。これらのユニットの特定の作業原理および動作プロセスは、当業者にはよく知られているので、ここでは省略される。
【００６７】
いくつかの実施形態において、ＯＬＴ８００に入って来る着信信号は、例えば２０ｋｍ用の光ファイバを通り抜けたと考えられる。ＯＬＴ８００における着信信号において、最初に光−電気変換が行われ得、次に、アナログシリアルデータストリームが、そのサンプル帯域幅およびサンプリングレートが光ファイバ上に担われている全容量に適合しなければならない、Ａ／Ｄ８２２によって量子化され得る。図８に示されている「ｓ」倍は、ベースボーレートに対するＡ／Ｄ８２２のサンプリングレートである。Ａ／Ｄ８２２の出力は、メモリにバッファリングされ得、同期され得、最後に、動的帯域割当（ＤＢＡ）に従って多重分離され得、この場合、パラレルデータストリーム数は、光ファイバ上に担われている全チャネル数によって決定され得る。
【００６８】
ここで、図３に示されているＢＢＵ３５０をさらに説明するために、戻って図３を参照すると、ＢＢＵ３５０は、補償ユニット３５１を含む。いくつかの実施形態において、補償ユニット３５１は、ツイストペアを介した転送中の信号のクロストークを補償するように構成され得る。無線ＭＩＭＯを使用する実施形態において、補償ユニット３５１は、ツイストペアを介した伝送中の信号のクロストークと、ＭＩＭＯ伝送中の干渉とを同時に補償するようにさらに構成され得る。いくつかの実施形態において、ＢＢＵ３５０は、着信信号を復号するように構成され得る復号ユニット３５２をさらに含み得る。その特定の作業原理および動作プロセスは、当業者にはよく知られているので、ここでは省略される。
【００６９】
ＲＲＨ、ＯＮＵおよびＯＬＴの前段階の処理により、今やＢＢＵ３５０に入る信号は、アップリンク用の従来のＢＢＵの入力用に使用されるものとほとんど同じである。各チャネルの信号が、無線ＭＩＭＯチャネルを介して転送されるだけではなく、ツイストペアのチャネル間クロストークも被り、これにより、ＭＩＭＯと同様のチャネライゼーションが使用され得る、という点においてのみ異なる。特定の実施形態において、ＢＢＵ３５０における無線復号用のＭＩＭＯ検出器は、無線ＭＩＭＯチャネル、およびツイストペアのクロストーク効果を同時に補償することができる。
【００７０】
図９は、本開示の実施形態による特定の例示的な無線アクセスシステムの概略ブロック図を示す。図９に示されている詳細な実施形態において、２ｘ２無線ＭＩＭＯ、５０ｍのツイストペア（２ｘ２クロストーク）、および２０ｋｍの光ファイバを使用するアプリケーションシナリオ例が示される。この実施形態では、全アップリンク転送プロセスは、２つのパート、すなわち、無線リンクを介した狭帯域転送と光ファイバを介した広帯域転送とに分けられ得る。図９では、ＡＷＧは、任意波形発生器（Ｄ／Ａ）に相当し、ＴＸは、送信器に相当し、Ｅは、電気ドメインを表し、Ｏは、光ドメインを表し、Ａｎｔは、アンテナを表し、Ａｔｔは、減衰器を表し、Ａｍｐは、増幅器に相当し、ＬＯは、発振器に相当し、ｂｂは、広域帯を表し、ｎｂは、狭域帯を表し、Ｐ２Ｓは、並列−直列変換を意味し、２５０Ｘは、２５０倍を表し、ＤＦＢは、分布帰還型レーザに相当し、ＭＺＭは、マッハ−ツェンダ変調器を表し、ＶＯＡは、可変光減衰器を意味し、ＰＤは、受光素子を意味し、ＯＳＣは、オシロスコープ（Ａ／Ｄ）を意味し、ＭＩＭＯは、マルチ入力マルチ出力を表し、そしてＥＶＭは、エラーベクトル振幅を意味する。
【００７１】
図９は、特定のモジュール構成をさらに示す。信号転送プロセス中、２つの個々のデータ、すなわち、データ１およびデータ２は、４Ｇ  ＬＴＥデータ形式と互換性のある、２０Ｈｚ帯域幅の１０２４ＦＦＴ  ６４ＱＡＭ形式にある。データ１およびデータ２は、最初、任意波形発生器（ＡＷＧ：Ａｒｂｉｔｒａｒｙ  Ｗａｖｅｆｏｒｍ  Ｇｅｎｅｒａｔｏｒ）によって生成され、その後、３．５ＧＨｚ  ＲＦ周波数帯域にアップコンバートされ、複数の無線ユーザに相当する、２つの個々のアンテナによって送信される。同じＲＦ帯域で稼働している２つのアンテナは、ＲＦ  ＭＩＭＯ受信器として使用され得る。２つの信号は、ベースバンドにおいて、ＤＣから２０ＭＨｚに個々に変換される。適切な電力で、次に、２つの信号は、５０ｍの共通Ｃａｔ５ａラインにおける２つのツイストペアに入る。ツイストペアのもう一方の端では、２つの信号は、２つのチャネルを同時に使って、リアルタイムオシロスコープによって別々に捕捉される。
【００７２】
次に、リアルタイムオシロスコープにおいて捕捉された２つの受信された信号が、１つのデータストリームがもう一つのデータストリームの前に整列された状態で、パラレルからシリアルに変換される。言い換えれば、時間領域多重化方式が採用される。新たに生成されたストリームは、ＡＷＧに再びアップロードされる。この時、ＡＷＧは、２つの信号が、光ファイバリンク上で全広域帯信号の１／１２５タイムスロットを占めることを示す、２０ＭＨｚの２５０倍の大きさである５Ｇサンプリングレートで動作し得る。２０ｋｍ標準シングルモード光ファイバは、ＯＮＵとＢＢＵとの間で、ロングリーチ媒体として使用され得る。リアルタイムオシロスコープは、光ファイバ伝送および光／電気変換の後、広域帯信号を捕捉するのに再び使用され得る。シリアルデータストリームは、最初、２つのパラレルデータストリームに分割され得、訓練データから学習された統合チャネライゼーション情報に従って復号され得る。再生されたコンステレーションもまた、同様に図９に示されている。
【００７３】
図９の特定の例が示すように、一方では、ハイブリッドチャネル（ＭＩＭＯ無線リンク＋クロストークリッチツイストペア）の再生は、アップリンク用のＢＢＵ側で達成可能である。他方、光ファイバに渡る大容量（例えば、２００チャネルに渡る）転送は、経済的に入手可能な光構成要素およびデバイスを使って、サポートされ得る。
【００７４】
本開示の実施形態において、ハイブリッドＭＩＭＯ無線チャネルと、クロストークリッチ非シールド型ツイストペアおよびロングリーチ光ファイバから成る固定ネットワークアーキテクチャとに渡る、屋内無線アクセスに対して、大容量転送ソリューションが提案される。ツイストペアのクロストークリッチチャネライゼーションと無線インタフェースに渡るＭＩＭＯの干渉リッチチャネライゼーションとの間の類似が、十分に活用されてきた。従来のＢＢＵのＤＳＰ複雑性を維持して、ハイブリッド転送後のポストＢＢＵプールにおいて、全クロスストーク軽減およびプリコーディングアルゴリズムが行われる。屋内無線フロントホール導入および配備コストを大幅に縮小するために、建物内でラスト１００ｍアクセス用に、経済的なＣａｔ５ａ／６ａラインが、十分に活用されている。従来の屋内ＤＡＳソリューションに比較して、ＭＩＭＯアプリケーションも、この手法において互換性がある。ＯＮＵにおいてデータストリームを収束させ、多重化し、次に、ＯＮＵからＢＢＵに、光ファイバ上で全広帯域信号を転送することによって、大フロントホール容量が実現され得、現在のＣＰＲＩプロトコルに対する優れた容量優位性を示す。したがって、本開示の実施形態による技術的ソリューションは、次世代無線アクセスにとって（特に、屋内用途および配備にとって）、極めて期待できるものである。
【００７５】
本開示の実施形態の説明において、「ｃｏｍｐｒｉｓｉｎｇ（備える）」や「ｉｎｃｌｕｄｉｎｇ（含む）」など、本明細書において使用される用語は、非排他的用語、すなわち、「備える／含むが、それらに限定されるものではない」として解釈されるべきである。「ｂａｓｅｄ  ｏｎ（基づいて）」という用語は、「少なくとも部分的に基づいて」を意味する。「ｏｎｅ  ｅｍｂｏｄｉｍｅｎｔ（一実施形態）」または「ｔｈｅ  ｅｍｂｏｄｉｍｅｎｔ（実施形態）」という用語は、「少なくとも１つの実施形態」として解釈されるべきである。
【００７６】
本開示の実施形態が、ソフトウェア、ハードウェア、またはそれらの組み合わせにより実装され得ることに留意されたい。ハードウェア部分は、特殊ロジックにより実装され得、ソフトウェア部分は、メモリに記憶され、マイクロプロセッサまたは特別設計のハードウェアなど、適切な命令実行システムによって実行され得る。上記のデバイスおよび方法が、コンピュータ実行可能命令を用いて、かつ／またはプロセッサ制御式コードにおいて実装され得、例えば、このようなコードは、プログラム可能なメモリなどのベアラ媒体、または光もしくは電子信号ベアラなどのデータベアラに提供される、ことを普通の当業者は理解するであろう。
【００７７】
これに加え、本方法の動作が、図面において特定の順番で説明されているが、これらの動作がこの特定の順番に従って行われる、または所望の結果が示されたすべての動作を行うことによってのみ達成されることを、要求するものでも意味するものでもない。それどころか、フローチャートにおいて説明されているようなステップに関する実行順番は、変えられてもよい。追加としてまたは代替的に、いくつかのステップが省略されてもよく、複数のステップが１つのステップにまとめられてもよく、または実行の際、１つのステップが複数のステップに分けられてもよい。上述の２つ以上のユニットの特徴および機能が１つの手段において具現化されてもよいことに留意されたい。同様に、上述の１つの手段の特徴および機能が、より多くのユニットにおいてさらに具現化されてもよい。
【００７８】
本開示は、複数の実施形態に関連して説明されてきたが、本開示が開示された実施形態に限定されないことが理解されるべきである。本開示は、添付の特許請求の趣旨および範囲に含まれている様々な修正形態および同等の構成に及ぶことを意図する。
【図１】
2019502281.tif 000003
【図２】
2019502281.tif 000004
【図３】
2019502281.tif 000005
【図４】
2019502281.tif 000006
【図５】
2019502281.tif 000007
【図６】
2019502281.tif 000008
【図７】
2019502281.tif 000009
【図８】
2019502281.tif 000010
【図９】
2019502281.tif 000011
【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
ベースバンド処理ユニット（ＢＢＵ）プール、光ネットワークユニット（ＯＮＵ）、およびリモート無線ヘッド（ＲＲＨ）を備える無線アクセスシステムであって、ＢＢＵプールが１つまたは複数のＯＮＵに接続され、ＯＮＵのそれぞれが１つまたは複数のＲＲＨに接続され、ＯＮＵのそれぞれと１つまたは複数のＲＲＨとの間の接続がツイストペアを使用して実装される、無線アクセスシステム。
【請求項２】
ＯＮＵのそれぞれと１つまたは複数のＲＲＨとの間の接続が、ＲＪ−４５ポートを使用して実装されている、請求項１に記載の無線アクセスシステム。
【請求項３】
ＢＢＵプールと１つまたは複数のＯＮＵとの間の接続が、光ファイバおよびパッシブ光ネットワーク（ＰＯＮ）アーキテクチャを使用して実装されている、請求項１に記載の無線アクセスシステム。
【請求項４】
ＲＲＨが、１つまたは複数のアンテナの協調伝送を可能にする、請求項１に記載の無線アクセスシステム。
【請求項５】
協調伝送が、マルチ入力マルチ出力（ＭＩＭＯ）伝送を含む、請求項４に記載の無線アクセスシステム。
【請求項６】
協調伝送が、多地点協調（ＣｏＭＰ）伝送を含む、請求項４に記載の無線アクセスシステム。
【請求項７】
ＢＢＵプールが、ツイストペアを介しての伝送におけるクロストークを補償する、請求項１に記載の無線アクセスシステム。
【請求項８】
ＢＢＵプールが、ツイストペアを介した伝送におけるクロストークおよびＭＩＭＯ伝送における干渉を同時に補償する、請求項５に記載の無線アクセスシステム。
【請求項９】
ＲＲＨが複数のアンテナのそれぞれのアンテナから信号を個別に受信し、
受信された信号を処理することと、
処理された信号を、複数のアンテナに対応するツイストペアのそれぞれのペアに送り、信号を接続されたＯＮＵに並列に転送することと、を個別に行う、請求項１に記載の無線アクセスシステム。
【請求項１０】
ＲＲＨおよびＯＮＵが、建物内部に位置し、ツイストペアが、ローカルエリアネットワーク（ＬＡＮ）ケーブルおよび／または電話回線ケーブルを含む、請求項１に記載の無線アクセスシステム。
【請求項１１】
それぞれのアンテナから信号を受信するように構成された１つまたは複数のアンテナポートと、
１つまたは複数のアンテナポートの信号をダウンコンバートするように構成されたダウンコンバートユニットと、
ダウンコンバートされた信号を出力ポートに転送するように構成されたアンテナポートのそれぞれに対応するツイストペアと、を備える、リモート無線ヘッド（ＲＲＨ）。
【請求項１２】
ツイストペアを介して信号を受信するように構成された入力ポートと、
受信された信号を処理するように構成された処理ユニットと、
処理された信号を、転送用の光ファイバおよびパッシブ光ネットワーク（ＰＯＮ）アーキテクチャに出力するように構成された出力ポートと、を備える、光ネットワークユニット（ＯＮＵ）。
【請求項１３】
光ファイバおよびパッシブ光ネットワーク（ＰＯＮ）アーキテクチャを介して光信号を受信するように構成された入力ポートであって、光信号がツイストペアを通して転送された信号に基づき生成される、入力ポートと、
受信された、光信号を、電気信号になるように処理するように構成された処理ユニットと、
電気信号を出力するように構成された出力ポートと、を備える、光回線終端装置（ＯＬＴ）。
【請求項１４】
ツイストペアを通した転送中の信号のクロストークを補償するように構成された補償ユニットを備える、ベースバンド処理ユニット（ＢＢＵ）プール。
【請求項１５】
請求項１１に記載のリモート無線ヘッド（ＲＲＨ）、請求項１２に記載の光ネットワークユニット（ＯＮＵ）、請求項１３に記載の光回線終端装置（ＯＬＴ）、または、請求項１４に記載のベースバンド処理ユニット（ＢＢＵ）プールを備える、無線アクセスシステム。
【国際調査報告】
2019502281.tif 000012
2019502281.tif 000013
2019502281.tif 000014
2019502281.tif 000015